(57)【要約】  入金口に載置された紙幣を紙幣の種類毎に区分するとともに、所定枚数の紙幣毎に帯封を施す場合の紙幣処理装置の処理効率を向上させ、かつ、利用者の作業負担を低減させるために、外部から取り出し可能であって、バッチ取り紙幣を所定枚数毎に集積する第２集積手段１２１、１２２と、リジェクト紙幣を集積するリジェクト集積手段１０６とを有し、結束対象紙幣の種類、又はバッチ取り紙幣の種類を設定する設定手段１１と、前記設定手段１１の設定内容、及び前記識別手段１０２の識別結果に基づいて、結束対象紙幣を結束するように前記結束手段２００を制御する結束制御と、前記第２集積手段１２１、１２２に所定枚数のバッチ取り紙幣が集積された場合に、一時停止又は搬送先の切り替えを行うバッチ取り制御と、を行う制御手段４０１と、を備えた紙幣処理装置１０が提供される。
2008090595.tif 000002
【特許請求の範囲】
【請求項１】
紙幣を取り込む取込手段と、
前記取込手段により取り込まれた紙幣の種類を識別する識別手段と、
結束対象紙幣を所定枚数毎に集積する第１集積手段と、
外部から取り出し可能であって、バッチ取り紙幣を所定枚数毎に集積する第２集積手段と、
リジェクト紙幣を集積するリジェクト集積手段と、
前記識別手段の識別結果に基づいて、前記取込手段により取り込まれた紙幣を前記第１集積手段、前記第２集積手段、及び前記リジェクト集積手段のいずれかへ搬送する搬送手段と、
前記第１集積手段に集積された所定枚数の結束対象紙幣を結束する結束手段と、
結束対象紙幣の種類、又はバッチ取り紙幣の種類を設定する設定手段と、
前記設定手段の設定内容、及び前記識別手段の識別結果に基づいて、前記取込手段により取り込まれた紙幣を所定の搬送先へ搬送するように前記搬送手段を制御する搬送制御と、前記第１集積手段に所定枚数の結束対象紙幣が集積された場合に、当該結束対象紙幣を結束するように前記結束手段を制御する結束制御と、前記第２集積手段に所定枚数のバッチ取り紙幣が集積された場合に、一時停止又は搬送先の切り替えを行うバッチ取り制御と、を行う制御手段と、を備えた紙幣処理装置。
【請求項２】
前記制御手段は、前記第２集積手段に所定枚数のバッチ取り紙幣が集積された場合に紙幣の取込を一時停止し、当該バッチ取り紙幣が前記第２集積手段から取り除かれた後に紙幣の取込を再開するように前記取込手段を制御するバッチ取り制御を行う請求項１に記載の紙幣処理装置。
【請求項３】
前記制御手段は、前記第２集積手段に所定枚数のバッチ取り紙幣が集積された場合にバッチ取り紙幣の搬送先を前記リジェクト集積手段に切り替え、当該バッチ取り紙幣が前記第２集積手段から取り除かれた後にバッチ取り紙幣の搬送先を前記第２集積手段に切り替えるように前記搬送手段を制御するバッチ取り制御を行う請求項１に記載の紙幣処理装置。
【請求項４】
前記第２集積手段は複数個設けられ、
前記制御手段は、前記第２集積手段の一に所定枚数のバッチ取り紙幣が集積された場合であって、他の第２集積手段に集積可能な場合には、バッチ取り紙幣の搬送先を前記他の第２集積手段に切り替えるように前記搬送手段を制御するバッチ取り制御を行う請求項１に記載の紙幣処理装置。
【請求項５】
前記第２集積手段は複数個設けられ、
前記設定手段は、前記第２集積手段の個数以下の数の前記バッチ取り紙幣の種類を設定する請求項１乃至３のいずれか１項に記載の紙幣処理装置。
【請求項６】
前記第２集積手段に集積されたバッチ取り紙幣の取り出しを促す報知手段をさらに備え、
前記制御手段は、前記第２集積手段に所定枚数のバッチ取り紙幣が集積された場合に、当該バッチ取り紙幣の取り出しを促すように前記報知手段を制御する請求項１乃至４のいずれか１項に記載の紙幣処理装置。
【請求項７】
前記設定手段は、紙幣の種類として金種を設定する請求項１乃至４のいずれか１項に記載の紙幣処理装置。
【請求項８】
前記設定手段は、紙幣の種類として金種、及び新券又は旧券を設定する請求項１乃至４のいずれか１項に記載の紙幣処理装置。
【請求項９】
前記設定手段は、紙幣の種類として金種、及び正券又は損券を設定する請求項１乃至４のいずれか１項に記載の紙幣処理装置。
【発明の詳細な説明】
【技術分野】
【０００１】
本発明は紙幣処理装置に関し、特に、所定枚数の紙幣に帯封を施す結束処理と、紙幣を紙幣の種類毎に区分するバッチ処理とを組み合わせて行う紙幣処理装置に関する。
【背景技術】
【０００２】
金融機関や小売店において、回収した紙幣を整理するための紙幣処理装置が用いられている。従来の紙幣処理装置は、例えば、新券と旧券とが混在した複数金種の紙幣が入金口に載置された場合に、これらの紙幣を識別し、金種別、又は新旧別に区分するものである。【０００３】
一方、特許文献１に開示された紙幣処理装置は、バッチモード（複数金種の紙幣を紙幣の種類別に所定枚数毎に区分するモード）と帯封モード（複数金種の紙幣を紙幣の種類別に所定枚数毎に区分し、結束するモード）を提供するものである。帯封モードでは、結束対象外紙幣は、外部集積部へ搬送される。一方、バッチモードでは、正損別、新旧別、又は両者の混合で紙幣が搬送される。【０００４】
しかし、これらの紙幣処理装置では、バッチモードと帯封モードを同時に行うことができなかった。従って、紙幣を整理した上で、結束対象紙幣に帯封を施す（例えば、新券を釣銭として再利用し、旧券に帯封を施して金融機関に持ち込む）場合には、はじめに、バッチモードを設定してバッチ処理を行った後、帯封モードに設定を変更した後に結束処理を行わなければならなかった。
【特許文献１】特開２００６−１０７０６１号公報
【発明の開示】
【発明が解決しようとする課題】
【０００５】
本発明の目的は、入金口に載置された紙幣を紙幣の種類毎に区分するとともに、所定枚数の紙幣毎に帯封を施す場合の紙幣処理装置の処理効率を向上させ、かつ、利用者の作業負担を低減させることである。
【課題を解決するための手段】
【０００６】
本発明によれば、紙幣を取り込む取込手段と、前記取込手段により取り込まれた紙幣の種類を識別する識別手段と、結束対象紙幣を所定枚数毎に集積する第１集積手段と、外部から取り出し可能であって、バッチ取り紙幣を所定枚数毎に集積する第２集積手段と、リジェクト紙幣を集積するリジェクト集積手段と、前記識別手段の識別結果に基づいて、前記取込手段により取り込まれた紙幣を前記第１集積手段、前記第２集積手段、及び前記リジェクト集積手段のいずれかへ搬送する搬送手段と、前記第１集積手段に集積された所定枚数の結束対象紙幣を結束する結束手段と、結束対象紙幣の種類、又はバッチ取り紙幣の種類を設定する設定手段と、前記設定手段の設定内容、及び前記識別手段の識別結果に基づいて、前記取込手段により取り込まれた紙幣を所定の搬送先へ搬送するように前記搬送手段を制御する搬送制御と、前記第１集積手段に所定枚数の結束対象紙幣が集積された場合に、当該結束対象紙幣を結束するように前記結束手段を制御する結束制御と、前記第２集積手段に所定枚数のバッチ取り紙幣が集積された場合に、一時停止又は搬送先の切り替えを行うバッチ取り制御と、を行う制御手段と、を備えた紙幣処理装置が提供される。
【発明の効果】
【０００７】
本発明によれば、入金口に載置された紙幣を紙幣の種類毎に区分するとともに、所定枚数の紙幣毎に帯封を施す場合の紙幣処理装置の処理効率を向上させることができる。
【図面の簡単な説明】
【０００８】
【図１】本発明の実施例に係る紙幣処理装置の内部構成を模式的に示す縦断面図である。
【図２】操作表示部１１に表示されるモード設定画面の一例である。
【図３】本発明の実施例に係る紙幣処理装置１０の制御部４００の内部構成を模式的に示すブロック図である。
【図４】本発明の実施例に係る紙幣集積処理における制御手段４０１の処理手順を示すフローチャートである。
【図５】本発明の実施例に係る搬送制御処理における制御手段４０１の処理手順を示すフローチャートである。
【図６】本発明の実施例に係る結束制御処理における制御手段４０１の処理手順を示すフローチャートである。
【図７】本発明の実施例１に係るバッチ取り制御処理における制御手段４０１の処理手順を示すフローチャートである。
【図８】（ａ）〜（ｃ）は、本発明の実施例１に係る設定データの一例である。
【図９】本発明の実施例２に係るバッチ取り制御処理における制御手段４０１の処理手順を示すフローチャートである。
【図１０】（ａ）〜（ｃ）は、本発明の実施例２に係る設定データの一例である。
【符号の説明】
【０００９】
１０ 紙幣処理装置
１１ 操作表示部
１００ 分類集積部
１０１ 入金口
１０５ 識別部
１０６ リジェクト集積部
１０７ 表裏反転部
１１１〜１１５ 第１集積部
１２１、１２２ 第２集積部
１３０ 端数紙幣返却部
１３１ トレイ
１３２ 突き当て部材
１３３ シャッタ
２００ 紙幣結束部
２０２ 回転機構
２０９ 結束紙幣投出口
３００ 搬送部
３０１ ガイド軸
３０２ ベルト
３１０ 昇降ユニット
３１１、３１６ ベルト
３１２ ブロック
３１３、３１４ ハンド
３１５ ガイド軸
４００ 制御部
【発明を実施するための最良の形態】
【００１０】
図１は、本発明の実施例に係る紙幣処理装置の内部構成を模式的に示す縦断面図である。【００１１】
紙幣処理装置１０は最上部に操作表示部１１を有し、主として、前面上部の分類集積部１００、前面下部の紙幣結束部２００、背面の搬送部３００、及び紙幣結束部２００の下部の制御部４００から構成される。【００１２】
（分類集積部１００）
分類集積部１００は、紙幣を分類、集積するための部分である。前面のほぼ中央部に、処理対象紙幣を受け入れる入金口１０１が設けられる。入金口１０１に載置された処理対象紙幣は、繰り出しローラ１０２、１０３により繰り出され、搬送路１０４に沿って搬送される。【００１３】
搬送路１０４の途中には識別部１０５が設けられる。搬送路１０４に沿って搬送された紙幣が識別部１０５を通過することにより、紙幣の種類（金種、正損、真偽、表裏、新旧）が識別される。【００１４】
搬送路１０４は、識別部１０５の先で分岐される。識別部１０５の識別結果（正損、真偽）に応じて、旧券、損券、偽券等をリジェクト紙幣としてリジェクト集積部１０６に集積し、正券かつ真券を表裏反転部１０７において全ての紙幣の表裏面が一致するように反転する。さらに識別結果（金種）に基づいて、結束対象紙幣を収納する第１集積部１１１〜１１５のいずれかに集積する。また、第２集積部１２１、１２２には、バッチ取り紙幣が集積される。バッチ取り紙幣とは、所定の条件を具備する紙幣を所定枚数毎に区分して外部から取り出し可能とする紙幣である。ここで、所定枚数とは、通常１００枚であり、予め固定的に設定されていても良いし、利用者により任意の値（例えば、２００枚、５０枚、２５枚等の任意の値）に設定されても良い。【００１５】
第１集積部１１１〜１１５は、それぞれ集積用のステージ１１１ａ〜１１５ａを有するものであって、図示しない駆動手段により昇降可能である。図１においては、第１集積部１１１〜１１５は、集積可能な状態として図示されている。すなわち、上側約２／３に設けられた壁部材１１１ｂ〜１１５ｂの下端位置にステージ１１１ａ〜１１５ａが位置しているため、搬送された紙幣は壁部材１１１ｂ〜１１５ｂに当たって停止し、集積される。この際、紙幣の飛び出しを防止し、安定な集積を可能とするために、集積量に応じて回動可能な押さえ板１１１ｃ〜１１５ｃが設けられている。なお、ステージ１１１ａ〜１１５ａ及び壁部材１１１ｂ〜１１５ｂには後述する搬送部のハンドが自由に通過できる切り欠きが形成される。なお、バッチ取り紙幣は、さらに搬送され、第２集積部１２１、１２２に集積される。【００１６】
また、リジェクト集積部１０６、第１集積部１１１〜１１５、及び第２集積部１２１、１２２は、それぞれ、１対の残留検知センサ１０６ａ、１１１ｄ〜１１５ｄ、１２１ａ、１２２ａを有する。これらの残留検知センサは、残留紙幣の有無を検知するための光学センサである。【００１７】
また、第２集積部１２１、１２２は、集積された紙幣が所定枚数に達した（バッチ取り紙幣の除去を利用者に促す）ことを報知する報知部１２１ｂ、１２２ｂを有する。報知部１２１ｂ、１２２１ｂは、文字、画像、光、音等により利用者に対する警告を行うものであって、例えば、液晶ディスプレイ、ＬＥＤランプ、スピーカ等である。【００１８】
利用者は、操作表示部１１の図示しないキーを用いて設定内容を入力することにより、第１集積部１１１〜１１５、第２集積部１２１、１２２、及びリジェクト集積部１０６に対して集積すべき対象を種々設定する設定部としての機能を有する。これにより、様々な処理が可能であり、例えば金種／正損／新旧等の種類の組み合わせで設定することができる。また、操作表示部１１は、図示しないディスプレイを介して利用者に様々な情報を報知する報知部としての機能も有する。【００１９】
操作表示部１１の下には、結束対象となったものの、結束可能枚数に達しなかった端数紙幣を返却するための端数紙幣返却部１３０が設けられており、端数紙幣返却トレイ１３１の下面に設けられた突き当て部材１３２の先端部１３２ａが背面より押されることにより、端数紙幣返却トレイ１３１が前進し、前面に設けられたシャッタ１３３が開いて一点鎖線で示された位置まで進み、端数紙幣を取り出すことができる。【００２０】
（紙幣結束部２００）
紙幣結束部２００は、所定枚数（通常１００枚）に達した紙幣を結束する（紙の帯を巻回させ帯封を行う）部分である。【００２１】
第１集積部１１１〜１１５において、集積枚数が所定枚数に達したものは後述する搬送部３００によりセット部２０１に移送され、挟持される。挟持された紙幣の所定箇所に帯封テープを巻回させるための回転機構２０２が設けられ、帯封テープを帯封テープ集積部２０３より取り出された帯封テープ２０４の先端をテープ止め２０５で止め、回転させることにより結束紙幣を得るようになっている。また、結束後、テープの先端を切断するためのカッタ２０６及びその先端部を熱接着するためのヒータ２０７も設けられている。帯封された結束紙幣はベルト式の搬送機構２０８で結束紙幣投出口２０９に投出されるが、搬送途中には金種、日時、連続番号等を帯封の上に印字する印字部２１０、処理を行った金融機関印を押印する押印部２１１が設けられている。【００２２】
（搬送部３００）
搬送部３００は、第１集積部１１１〜１１５と紙幣結束部２００又は端数紙幣返却部１３０との間で結束対象紙幣又は端数紙幣を搬送するものである。搬送部３００は、装置の下端から上端に到る垂直に設置されたガイド軸３０１、このガイド軸３０１に係合しつつ上下移動の可能な昇降ユニット３１０、この昇降ユニット３１０を昇降させるための駆動ベルト３０２を備える。【００２３】
昇降ユニット３１０はベルト機構３１１による前進後退可能なブロック３１２を有しており、このブロック３１２には固定の下ハンド３１３と、ベルト３１６により軸３１５に沿って上下移動する上ハンド３１４を有している。ハンド３１３と３１４は、第１集積部１１１〜１１４に集積された結束対象紙幣又は端数紙幣を挟んで取り出し、紙幣結束部２００あるいは端数紙幣返却部１３０に移送するためのものである。【００２４】
（制御部４００）
制御部４００は、紙幣処理装置１０の全体の動作を制御するための部分である。図１においては、制御部４００は便宜上紙幣結束部２００の下に描かれているが、設計において確保された空間であれば、装置内のあらゆる場所に設置することができる。詳細は後述する（図３を参照）。【００２５】
図２は、操作表示部１１に表示されるモード設定画面の一例を示しており、最も左の列の最上位にある設定ボタンを押したときの画面である。この画面はタッチパネルとなっており、オベレータが画面上の該当箇所に触れることにより、各種の操作を行うことができるようになっている。【００２６】
この画面中、左端の一列、右端の２列に設けられた種々の設定ボタンを押すことにより、第１集積部１１１〜１１５、第２集積部１２１、１２２、及びリジェクト集積部１０６に集積すべき紙幣の金種、券種、刷種を指定することができる。【００２７】
左から２番目の欄は各集積部の設定内容及び扱った金額を表している。最上段の２行は第２集積部１２１、１２２に対する設定内容、次の４行は第１集積部１１１〜１１５における設定内容を示している。なお、第３集積部１１５は、集積不可紙幣を集積するために用いられる。【００２８】
図２に示す例では２つの第２集積部１２１、１２２とも混合であり、４つの第１集積部１１１〜１１４はそれぞれ５千円札の正券を新旧混合、５千円札の損券を新旧混合、２千円札の正券を新旧混合、２千円札の損券を新旧混合という設定となっている。これらの設定表示の下の部分は実際に取り込まれた各紙幣の金額及び総合計を示している。【００２９】
図３は、本発明の実施例に係る紙幣処理装置１０の制御部４００の内部構成を模式的に示すブロック図である。【００３０】
紙幣処理装置１０の制御部４００は、制御手段４０１、通信手段４０２及び記憶手段４０３を有する。一例として、制御手段４０１は、マイクロプロセッサであり、通信手段４０２は、通信回線３０（例えば、イントラネット）と接続可能な通信インタフェースであり、記憶手段４０３は、ＲＡＭ等のコンピュータ読み取り可能な記憶媒体である。【００３１】
制御手段４０１は、操作表示部１１、分類集積部１００、紙幣結束部２００及び搬送部３００を制御する。通信手段４０２は、通信回線３０を介してサーバ２０（例えば、金融機関のセンター等に設置された上位のコンピュータ等）と接続される。記憶手段４０３は、様々なデータ（例えば、制御手段４０１用の制御プログラム、操作表示部１１を介して設定された設定データ（図８（ａ）〜（ｃ）、図１０（ａ）〜（ｃ）を参照）、操作表示部１１に表示するための報知画面の画像データ、分類集積部１００に集積された紙幣の集積枚数データ等）を記憶する。【００３２】
本実施例では、制御手段４０１は、記憶手段４０３に記憶された制御プログラムを起動することにより、後述する紙幣集積処理（図４を参照）、搬送制御処理（図５を参照）、結束制御処理（図６を参照）、及びバッチ取り制御処理（図７又は図８を参照）を行う。【００３３】
図４は、本発明の実施例に係るバッチ処理における制御手段４０１の処理手順を示すフローチャートである。【００３４】
制御手段４０１は、はじめに、繰り出しローラ１０２、１０３を制御することにより、入金口１０１に載置された紙幣を取り込み、搬送路１０４に沿って搬送する（Ｓ４０１）。続いて、搬送路１０４の途中に設けられた識別部１０５を制御することにより、紙幣の種類（金種、正損、真偽、表裏、新旧）を識別する（Ｓ４０２）。続いて、後述する搬送制御（図５を参照）を行う（Ｓ４０３）。【００３５】
搬送制御（Ｓ４０３）の結果、第１集積部１１１〜１１５に集積された紙幣の枚数が所定枚数に達した場合（Ｓ４０４−Ｙｅｓ）は、後述する結束制御（図６を参照）を行い（Ｓ４０５）、Ｓ４０８へ進む。一方、搬送制御（Ｓ４０３）の結果、第２集積部１２１、１２２に集積された紙幣の枚数が所定枚数に達した場合（Ｓ４０４−Ｎｏ、Ｓ４０６−Ｙｅｓ）は、後述するバッチ取り制御（図７又は図８を参照）を行い（Ｓ４０７）、Ｓ４０８へ進む。他方、搬送制御（Ｓ４０３）の結果、第２集積部１２１、１２２に集積された紙幣の枚数が所定枚数に達していない場合（Ｓ４０４−Ｎｏ、Ｓ４０６−Ｎｏ）は、Ｓ４０８へ進む。【００３６】
続いて、入金口１０１に紙幣がある場合は（Ｓ４０８−Ｙｅｓ）、Ｓ４０１に戻る。一方、入金口１０１に紙幣がない場合は（Ｓ４０８−Ｎｏ）、入金口１０１からの紙幣の取込を停止し（Ｓ４０９）、紙幣集積処理を終了する。【００３７】
図５は、本発明の実施例に係る搬送制御処理における制御手段４０１の処理手順を示すフローチャートである。搬送制御処理は、図４のＳ４０２に続いて行われる処理である。【００３８】
制御手段４０１は、はじめに、Ｓ４０２の識別結果がリジェクト紙幣である場合は（Ｓ５０１−Ｙｅｓ）、リジェクト集積部１０６に搬送するように搬送部３００を制御する（Ｓ５０２）。【００３９】
一方、Ｓ４０２の識別結果が結束対象紙幣である場合は（Ｓ５０１−Ｎｏ、Ｓ５０３−Ｙｅｓ）、第１集積部１１１〜１１５のいずれかに搬送するように搬送部３００を制御する（Ｓ５０４）。ここで、制御手段４０１は、記憶手段４０３に記憶された設定データ（図８（ａ）〜（ｃ）、図１０（ａ）〜（ｃ）のいずれか）を参照して、第１集積部１１１〜１１５のいずれかを搬送先として判定する。【００４０】
一方、Ｓ４０２の識別結果がバッチ取り紙幣である場合は（Ｓ５０１−Ｎｏ、Ｓ５０３−Ｎｏ）、バッチ取り紙幣の搬送先に搬送するように搬送部３００を制御する。すなわち、バッチ取り紙幣の搬送先が第２集積部１２１、１２２である場合は（Ｓ５０５−Ａ）、第２集積部１２１、１２２のいずれかに搬送するように搬送部３００を制御し（Ｓ５０６）、バッチ取り紙幣の搬送先がリジェクト集積部１０６である場合は（Ｓ５０５−Ｂ）、リジェクト集積部１０６に搬送するように搬送部３００を制御する（Ｓ５０７）。ここで、制御手段４０１は、通常は、記憶手段４０３に記憶された設定データ（図８（ａ）〜（ｃ）、図１０（ａ）〜（ｃ）のいずれか）を参照して第２集積部１２１、１２２のいずれかをバッチ取り紙幣の搬送先として判定し、後述するバッチ取り制御（図７又は図８を参照）においてバッチ取り紙幣の搬送先がリジェクト集積部１０６に切り替えられた場合にリジェクト集積部１０６をバッチ取り紙幣の搬送先として判定する。【００４１】
Ｓ５０２、Ｓ５０４、Ｓ５０６、Ｓ５０７のいずれかの処理が終了した後、搬送制御を終了し、図４のＳ４０４へ進む。【００４２】
図６は、本発明の実施例に係る結束制御処理における制御手段４０１の処理手順を示すフローチャートである。結束制御処理は、図４のＳ４０４において、第１集積部１１１〜１１５のいずれかが所定枚数に達した場合に行われる処理である（Ｓ４０４−Ｙｅｓ）。【００４３】
制御手段４０１は、はじめに、第１集積部１１１〜１１５のうち、集積された紙幣の枚数が所定枚数に達した集積部の紙幣を紙幣結束部２００に搬送するように搬送部３００を制御する（Ｓ６０１）。続いて、紙幣を結束するように紙幣結束部２００を制御する（Ｓ６０２）。続いて、結束された紙幣を結束紙幣投出口２０９から排出する（Ｓ６０３）。Ｓ６０３の処理が終了した後、結束制御を終了し、図４のＳ４０８へ進む。
【実施例１】
【００４４】
次に、本発明の実施例１について説明する。実施例１では、紙幣処理装置１０が１つの第２集積部（すなわち、第２集積部１２１のみ）を有する場合について説明する。【００４５】
図７は、本発明の実施例１に係るバッチ取り制御処理における制御手段４０１の処理手順を示すフローチャートである。実施例１に係るバッチ取り制御処理は、図４のＳ４０６において第２集積部１２１が所定枚数に達した場合に行われる処理である（Ｓ４０６−Ｙｅｓ）。【００４６】
制御手段４０１は、はじめに、紙幣の除去を促すように、報知部１２１ｂを制御する（Ｓ７０１）。【００４７】
続いて、「取込継続モード」が設定されている場合は（Ｓ７０２−Ｙｅｓ）、バッチ取り紙幣の搬送先をリジェクト集積部１０６に切り替える（Ｓ７０３）。続いて、第２集積部１２１に集積された紙幣が取り除かれた場合は（Ｓ７０４−Ｙｅｓ）、バッチ取り紙幣の搬送先を第２集積部１２１に切り替え（Ｓ７０５）、バッチ取り制御処理を終了する。一方、第２集積部に集積された紙幣が取り除かれていない場合は（Ｓ７０４−Ｎｏ）、リジェクト集積部１０６をバッチ取り紙幣の搬送先として設定した状態で、バッチ取り制御処理を終了する。【００４８】
他方、「取込一時停止モード」が設定されている場合は（Ｓ７０２−Ｎｏ）、入金口１０１からの取込を一時停止する（Ｓ７０６）。続いて、第２集積部１２１に集積された紙幣が取り除かれるまで一時停止状態を維持し（Ｓ７０７−Ｎｏ）、第２集積部１２１に集積された紙幣が取り除かれた後（Ｓ７０７−Ｙｅｓ）、入金口１０１からの取込を再開し（Ｓ７０８）、バッチ取り制御処理を終了する。【００４９】
図８（ａ）〜（ｃ）は、実施例１に係る設定データの一例である。設定データは、操作表示部１１を介して利用者により設定され、記憶部４０３に記憶される。【００５０】
図８（ａ）は、第１集積部１１１〜１１３に１００枚の新券かつ正券を金種（万券、五千券、二千券）毎に区分し、第２集積部１２１に千券の新券かつ正券を１００枚区分し、リジェクト集積部１０６に旧券又は損券を区分する場合の設定データである。図８（ａ）の設定データを設定した場合には、新券かつ正券の千券を釣銭用として取り出し、その他の金種を結束することができる。【００５１】
図８（ｂ）は、第１集積部１１１〜１１５に１００枚の正券を金種及び新券／旧券毎に区分し、第２集積部１２１に１００枚の金種混合の新券かつ正券を区分し、リジェクト集積部１０６に損券を区分する場合の設定データである。図８（ｂ）の設定データを設定した場合には、新券かつ正券を釣銭用として取り出し、その他の金種を新券／旧券毎に区分して結束することができる。【００５２】
図８（ｃ）は、第１集積部１１１〜１１５に１００枚の新券を金種及び正券／損券毎に区分し、第２集積部１２１に１００枚の金種混合の新券かつ正券を区分し、リジェクト集積部１０６に旧券を区分する場合の設定データである。図８（ｃ）の設定データを設定した場合には、新券かつ正券を釣銭用として取り出し、その他の金種を正券／損券毎に区分して結束することができる。【００５３】
実施例１によれば、結束対象紙幣とバッチ取り紙幣とが混在した状態で入金口１０１に載置され、結束処理とバッチ取り処理を一度に処理する場合に、第２集積部１２１に集積されたバッチ取り紙幣が所定枚数に達しても入金口１０１からの紙幣の取込を停止することなく継続することができる。その結果、結束対象紙幣とバッチ取り紙幣の区分する際の紙幣処理装置１０の処理効率を向上させることができる。【００５４】
また、取込一時停止モードが設定されている場合には、バッチ取り紙幣が所定枚数に達したときに入金口１０１からの紙幣の取込を一時停止し、利用者によりバッチ取り紙幣が取り除かれるまで取込を再開しないので、リジェクト集積部１０６にバッチ取り紙幣とリジェクト紙幣とが混在することがない。【００５５】
また、報知部１２１ａを介して利用者に報知することによって、所定枚数に達したバッチ取り紙幣の除去を利用者に促すことができる。その結果、利用者の作業効率を向上させることができる。
【実施例２】
【００５６】
次に、本発明の実施例２について説明する。実施例１では、紙幣処理装置１０は、１つの第２集積部（すなわち、第２集積部１２１のみ）を有する場合について説明したが、実施例２では、複数の第２集積部１２１、１２２を有する場合について説明する。【００５７】
図９は、本発明の実施例２に係るバッチ取り制御処理における制御手段４０１の処理手順を示すフローチャートである。実施例２に係るバッチ取り制御処理は、図４のＳ４０６において第２集積部１２１、１２２のいずれかが所定枚数に達した場合に行われる処理である（Ｓ４０６−Ｙｅｓ）。以下、第２集積部１２１が所定枚数に達した場合について説明する。【００５８】
制御手段４０１は、はじめに、紙幣の除去を促すように、報知部１２１ｂを制御する（Ｓ９０１）。【００５９】
続いて、他の第２集積部（第２集積部１２２）が所定枚数に達していない場合は（Ｓ９０２−Ｎｏ）、バッチ取り紙幣の集積先を他の第２集積部（第２集積部１２２）に切り替え（Ｓ９０３）、バッチ取り制御処理を終了する。【００６０】
一方、他の第２集積部（第２集積部１２２）が所定枚数に達した場合は（Ｓ９０２−Ｙｅｓ）、図７のＳ７０２〜Ｓ７０８と同様の処理を行い、バッチ取り制御処理を終了する。【００６１】
図１０（ａ）〜（ｃ）は、実施例２に係る設定データの一例である。設定データは、操作表示部１１を介して利用者により設定され、記憶部４０３に記憶される。【００６２】
図１０（ａ）は、第１集積部１１１〜１１３に１００枚の新券かつ正券を金種（万券、五千券、二千券）毎に区分し、第２集積部１２１、１２２に１００枚の千券の新券かつ正券を区分し、リジェクト集積部１０６に旧券又は損券を区分する場合の設定データである。図１０（ａ）の設定データを設定した場合には、千券を釣銭用として取り出し、その他の金種を結束するとともに、第２集積部１２１に集積された釣銭用千券の枚数が１００枚に達した場合に、以降の釣銭用千券を第２集積部１２２に集積することができる。【００６３】
図１０（ｂ）は、第１集積部１１１〜１１５に１００枚の正券を金種及び新券／旧券毎に区分し、第２集積部１２１に１００枚の千券の新券かつ正券を区分し、第２集積部１２２に１００枚の新券かつ正券を金種混合で枚区分し、リジェクト集積部１０６に損券を区分する場合の設定データである。図１０（ｂ）の設定データを設定した場合には、新券かつ正券を釣銭用として取り出し、その他の金種を新券／旧券毎に区分して結束するとともに、第２集積部１２１に集積された釣銭用千券の枚数が１００枚に達した場合に、以降の釣銭用千券を第２集積部１２２に集積することができる。【００６４】
図１０（ｃ）は、第１集積部１１１〜１１５に１００枚の新券を金種及び正券／損券毎に区分し、第２集積部１２１に１００枚の千券の新券かつ正券を区分し、第２集積部１２２に１００枚の新券かつ正券を金種混合で枚区分し、リジェクト集積部１０６に旧券を区分する場合の設定データである。図１０（ｃ）の設定データを設定した場合には、新券かつ正券を釣銭用として取り出し、その他の金種を正券／損券毎に区分して結束するとともに、第２集積部１２１に集積された釣銭用千券の枚数が１００枚に達した場合に、以降の釣銭用千券を第２集積部１２２に集積することができる。【００６５】
実施例２によれば、実施例１と同様の効果に加えて、第２集積部１２１に集積されたバッチ取り紙幣が所定枚数に達しても、他の第２集積部（第２集積部１２２）にバッチ取り紙幣を搬送することができる。その結果、結束対象紙幣とバッチ取り紙幣の区分に関する紙幣処理装置１０の処理効率を実施例１よりもさらに向上させることができる。【００６６】
また、報知部１２１ｂ、１２２ｂを介して利用者に報知することによって、第２集積部１２１、１２２のいずれが所定枚数に達したのかを利用者に明示的に知らせることができる。
【図１】
2008090595.tif 000003
【図２】
2008090595.tif 000004
【図３】
2008090595.tif 000005
【図４】
2008090595.tif 000006
【図５】
2008090595.tif 000007
【図６】
2008090595.tif 000008
【図７】
2008090595.tif 000009
【図８】
2008090595.tif 000010
【図９】
2008090595.tif 000011
【図１０】
2008090595.tif 000012
【国際調査報告】
2008090595.tif 000013
2008090595.tif 000014